(57)【要約】【課題】低露点空気供給システムの消費エネルギ及び運転コストを低減する。【解決手段】吸着ロータ式除湿機２における処理域７の出口を吸着ロータ４の回転方向Ｒにおいて複数の分割出口７ａ〜７ｆに区画し、これら複数の分割出口７ａ〜７ｆのうちの一部の分割出口を給気用出口７Ｘとして、その給気用出口７Ｘから送出される除湿後の低露点空気Ｓ（＝Ｓ２）を給気路３を通じて被供給部１に供給し、これに並行して、他の分割出口を循環用出口７Ｙとして、その循環用出口７Ｙから送出される除湿後の低露点空気Ｓ′を循環路１７を通じ処理域７の入口に戻して原空気Ｏとともに処理域７に通過させる構成にする。【選択図】図１
2014095502.tif 000002
【特許請求の範囲】
【請求項１】
吸着剤を担持する通気性の吸着ロータを備えるとともに、高温の再生用空気を通過させて域内に位置する吸着ロータ部分を再生する再生域と、原空気を通過させて除湿処理する処理域とを、吸着ロータ回転方向に並べて前記吸着ロータの回転域に区画形成した吸着ロータ式の除湿機を設け、
前記処理域の出口から送出される除湿後の低露点空気を給気路を通じて被供給部に供給する低露点空気供給システムであって、
前記処理域の出口における低露点空気の吸着ロータ回転方向での露点温度分布に従って、前記処理域の出口を吸着ロータ回転方向において複数の分割出口に区画し、
これら複数の分割出口のうちの一部の分割出口を給気用出口として、その給気用出口から送出される除湿後の低露点空気を前記給気路を通じて前記被供給部に供給し、
これに並行して、他の分割出口を循環用出口として、その循環用出口から送出される除湿後の低露点空気を循環路を通じ前記処理域の入口に戻して前記原空気とともに前記処理域に通過させる構成にしてある低露点空気供給システム。
【請求項２】
前記分割出口から送出される低露点空気を前記給気路に導く状態と前記循環路に導く状態とに切り換えて、その分割出口を前記給気用出口と前記循環用出口とに切り換える切換手段を前記分割出口ごとに設けてある請求項１記載の低露点空気供給システム。
【請求項３】
前記切換手段は、対応する前記分割出口から前記給気路に導く低露点空気の風量調整が可能な構成してある請求項２記載の低露点空気供給システム。
【請求項４】
前記給気路を通じて前記被供給部に供給する低露点空気の露点温度を前記切換手段に対する操作により設定給気露点温度に調整する給気露点制御を実行する制御手段を設けてある請求項２又は３記載の低露点空気供給システム。
【請求項５】
前記制御手段は、複数の前記分割出口から送出される除湿後の低露点空気各々の検出露点温度に基づいて前記給気露点制御を実行する構成にしてある請求項４記載の低露点空気供給システム。
【請求項６】
前記制御手段は、複数の前記分割出口から送出される除湿後の低露点空気各々の露点温度と前記除湿機の運転条件との相関に関する相関データに対する照合により、各時点における前記除湿機の運転条件に対応する前記低露点空気各々の露点温度を読み出し、
この読み出し露点温度に基づいて前記給気露点制御を実行する構成にしてある請求項４記載の低露点空気供給システム。
【請求項７】
前記制御手段は、モード切換指令に従って前記給気露点制御と給気風量制御とを選択的に実行し、
前記給気風量制御では、前記給気路を通じて前記被供給部に供給する低露点空気の風量を前記切換手段に対する操作により設定給気風量に調整する構成にしてある請求項４〜６のいずれか１項に記載の低露点空気供給システム。
【請求項８】
前記吸着ロータ回転域において前記処理域の吸着ロータ回転方向における下手側に外気処理域を区画形成し、
外気導入路を通じて導入する前記原空気としての外気を前記処理域に対する通過に先立ち前記外気処理域に通過させて予除湿し、
この予除湿後の外気を前記循環路により導かれる低露点空気とともに前記処理域に通過させる構成にしてある請求項１〜７のいずれか１項に記載の低露点空気供給システム。
【請求項９】
前記吸着ロータの回転域において吸着ロータ回転方向における前記再生域の下手側で前記再生域と前記処理域との間に、パージ用空気を通過させて域内に位置する吸着ロータ部分をパージ処理するパージ域を区画形成し、
前記外気処理域から送出される予除湿後の外気と前記循環路により導かれる低露点空気との混合空気の一部を、前記パージ用空気として前記パージ域に通過させる構成にしてある請求項８記載の低露点空気供給システム。
【請求項１０】
前記パージ域を通過した使用後のパージ用空気を、再生用加熱器により加熱した状態で前記再生用空気として前記再生域に通過させる構成にしてある請求項９記載の低露点空気供給システム。
【発明の詳細な説明】
【技術分野】
【０００１】
本発明は、例えばリチウム電池生産ラインなどの被供給部に対して低露点空気を供給する低露点空気供給システムに関する。
【０００２】
更に詳しくは、吸着剤を担持する通気性の吸着ロータを備えるとともに、高温の再生用空気を通過させて域内に位置する吸着ロータ部分を再生する再生域と、原空気を通過させて除湿処理する処理域とを、吸着ロータ回転方向に並べて吸着ロータの回転域に区画形成した吸着ロータ式の除湿機を設け、処理域の出口から送出される除湿後の低露点空気を給気路を通じて被供給部に供給する低露点空気供給システムに関する。
【背景技術】
【０００３】
従来、超低露点空気などと称される例えば−７０℃ＤＰ以下といった極低い露点温度の低露点空気を生成して被供給部に供給する低露点空気供給システムとしては、次の（イ），（ロ）の如き除湿方式のものが提案されている。
【０００４】
（イ）吸着ロータの回転域に区画形成する処理域を、吸着ロータ回転方向の上手側に位置する上手側処理域と、その下手側に位置する下手側処理域とに区画する。そして、除湿対象の原空気を先ず下手側処理域に通過させて前段除湿し、この前段除湿後の低露点空気を続いて上手側処理域に通過させて後段除湿し、これら２回の除湿処理により露点温度が極低い低露点空気を生成する。………特許文献１参照
【０００５】
（ロ）吸着ロータとして第１〜第３の３つの吸着ロータを設ける。そして、除湿対象の原空気を先ず第１吸着ロータに対する処理域に通過させて前段除湿し、この前段除湿後の低露点空気を続いて第２吸着ロータに対する処理域に通過させて中段除湿し、さらに、この中段除湿後の低露点空気を第３吸着ロータに対する処理域に通過させて後段除湿し、これら３回にわたる除湿処理により露点温度が極低い低露点空気を生成する。………特許文献２参照
【先行技術文献】
【特許文献】
【０００６】
【特許文献１】特開平１−１９９６２１号公報
【特許文献２】特開平１１−１８８２２４号公報
【発明の概要】
【発明が解決しようとする課題】
【０００７】
しかし、上記（イ），（ロ）のいずれの従来システムにしても、露点温度が極力低い低露点空気を生成することにおいて吸着ロータの除湿能力を未だ十分には活かしておらず、そのためにシステムの消費エネルギや運転コストが大きい問題があった。
【０００８】
また、（ロ）の従来システムでは、複数の吸着ロータを設けるため構造が複雑になるとともに大型化し、そのことで、システムコストが高く付くとともにシステムの必要設置スペースが大きくなる問題もあった。
【０００９】
この実情に鑑み、本発明の主たる課題は、上記の如き問題を効果的に解消することができ、併せて汎用性や機能性にも優れた低露点空気供給システムを提供する点にある。
【課題を解決するための手段】
【００１０】
本発明の第１特徴構成は低露点空気供給システムに係り、その特徴は、
吸着剤を担持する通気性の吸着ロータを備えるとともに、高温の再生用空気を通過させて域内に位置する吸着ロータ部分を再生する再生域と、原空気を通過させて除湿処理する処理域とを、吸着ロータ回転方向に並べて前記吸着ロータの回転域に区画形成した吸着ロータ式の除湿機を設け、
前記処理域の出口から送出される除湿後の低露点空気を給気路を通じて被供給部に供給する低露点空気供給システムであって、
前記処理域の出口における低露点空気の吸着ロータ回転方向での露点温度分布に従って、前記処理域の出口を吸着ロータ回転方向において複数の分割出口に区画し、
これら複数の分割出口のうちの一部の分割出口を給気用出口として、その給気用出口から送出される除湿後の低露点空気を前記給気路を通じて前記被供給部に供給し、
これに並行して、他の分割出口を循環用出口として、その循環用出口から送出される除湿後の低露点空気を循環路を通じ前記処理域の入口に戻して前記原空気とともに前記処理域に通過させる構成にしてある点にある。
【００１１】
つまり（図１参照）、吸着ロータ式の除湿機２では、機器の特性として、処理域７の出口における除湿後の低露点空気Ｓの露点温度分布に、例えば図２に示す如き吸着ロータ回転方向Ｒでの偏りがあり、換言すれば、露点温度ｔ（℃ＤＰ）が一様な空気Ｍを処理域７に通過させるにもかかわらず、処理域７の出口からは、域内通過過程における除湿度の差により吸着ロータ４の回転方向Ｒにおいて露点温度ｔに差がある低露点空気Ｓ（＝Ｓ１〜Ｓ６）が並列的に送出される。
【００１２】
したがって、露点温度ｔが極低い低露点空気Ｓを被供給部１に供給する必要がある場合、上記構成の実施において、吸着ロータ４の回転方向Ｒに並ぶ複数の分割出口７ａ〜７ｆのうち、他の分割出口に比べて露点温度ｔが低い低露点空気Ｓが送出される単数ないし複数の分割出口（図１の例では分割出口７ｂ）を給気用出口７Ｘとし、その給気用出口７Ｘから送出される低露点空気Ｓ（＝Ｓ２）のみを給気路３を通じて被供給部１に供給すれば、それだけで露点温度ｔが極低い低露点空気Ｓを被供給部１に供給することができる。
【００１３】
したがって、先述の（ロ）の従来システムなどに比べ、システムの構造を簡素化するとともにシステムを小型化することができる。
【００１４】
また、循環用出口７Ｙとする他の分割出口（図１の例では７ａ，７ｃ〜７ｆ）から送出される低露点空気Ｓ′（＝Ｓ１，Ｓ３〜Ｓ６）は、循環路１７を通じ処理域７の入口に戻して原空気Ｏ′とともに処理域７に通過させることで、被供給部１に供給する露点温度ｔが極低い低露点空気Ｓ（＝Ｓ２）の生成に利用するから、それら循環用出口７Ｙから送出される低露点空気Ｓ′（＝Ｓ１，Ｓ３〜Ｓ６）に対して費やされた吸着ロータ４の除湿能力を無駄にすることもない。
【００１５】
また因みに、先述した（イ），（ロ）の従来システムでは、下手側処理域及び上手側処理域の夫々、ないし、第１〜第３吸着ロータに対する処理域の夫々において、それら処理域から送出される露点温度ｔに差のある低露点空気Ｓ１〜Ｓ６の全てが混合状態で次の処理域又は被供給部に供給されることから、露点温度ｔの低い低露点空気と露点温度ｔの高い低露点空気とが混合することによる露点温度面での混合損失が大きく、これが原因で消費エネルギや運転コストの増大を招いている。
【００１６】
これに対し、上記構成によれば、給気用出口７Ｘから送出される低露点空気Ｓ（＝Ｓ２）は、循環用出口７Ｙから送出される低露点空気Ｓ′（＝Ｓ１，Ｓ３〜Ｓ６）と混合することなく被供給部１に供給するから、上記の如き露点温度面での混合損失を効果的に低減することができ、この点で吸着ロータ４の除湿能力を従来システムに比べ一層無駄なく有効に活用することができる。
【００１７】
これらのことから、上記構成によれば、システムの消費エネルギ及び運転コストを従前に比べ効果的に低減することができ、また、システムコストが安価で必要設置スペースも小さな低露点空気供給システムにすることができる。
【００１８】
そしてまた、上記構成によれば、被供給部１に供給する低露点空気Ｓの必要露点温度や必要風量などに応じて、複数の分割出口７ａ〜７ｆのうち給気用出口７Ｘとする単数ないし複数の分割出口を適宜選択することもでき、この点でシステムの汎用性や機能性も高めることができる。
【００１９】
なお、上記構成の実施において、給気用出口７Ｘは１つに限られるものではなく、複数の給気用出口７Ｘを設定して、それら給気用出口７Ｘの夫々から送出される低露点空気Ｓを互いに異なる被供給部１に対して各別に供給するようにしてもよい。
【００２０】
本発明の第２特徴構成は、第１特徴構成の実施に好適な実施形態を特定するものであり、その特徴は、
前記分割出口から送出される低露点空気を前記給気路に導く状態と前記循環路に導く状態とに切り換えて、その分割出口を前記給気用出口と前記循環用出口とに切り換える切換手段を前記分割出口ごとに設けてある点にある。
【００２１】
この構成によれば（同図１参照）、複数の分割出口７ａ〜７ｆの各々を切換手段Ｖにより給気用出口７Ｘと循環用出口７Ｙとに容易に切り換えることができ、これにより、複数の分割出口７ａ〜７ｆのうち給気用出口７Ｘとする単数ないし複数の分割出口を、被供給部１に供給する低露点空気Ｓの必要露点温度や必要風量に応じて切り換える切換処理を容易にすることができる。
【００２２】
本発明の第３特徴構成は、第２特徴構成の実施に好適な実施形態を特定するものであり、その特徴は、
前記切換手段は、対応する前記分割出口から前記給気路に導く低露点空気の風量調整が可能な構成してある点にある。
【００２３】
この構成によれば、特に複数の分割出口を給気用出口として、それら給気用出口の夫々から送出される低露点空気を混合して給気路を通じ被供給部に供給する場合、それら低露点空気の混合比を切換手段による上記風量調整により調整することができて、その混合比の調整により、被供給部に供給する低露点空気の露点温度を一層きめ細かく調整することができる。
【００２４】
本発明の第４特徴構成は、第２又は第３特徴構成の実施に好適な実施形態を特定するものであり、その特徴は、
前記給気路を通じて前記被供給部に供給する低露点空気の露点温度を前記切換手段に対する操作により設定給気露点温度に調整する給気露点制御を実行する制御手段を設けてある点にある。
【００２５】
この構成によれば（同図１参照）、ロータリ式除湿機２の運転において再生用空気Ｈの温度や風量などの運転条件が変化することで、複数の分割出口７ａ〜７ｆから送出される低露点空気Ｓ（＝Ｓ１〜Ｓ６）夫々の露点温度ｔが変化した場合にも、制御手段２１による上記給気露点制御により、給気路３を通じて被供給部１に供給する低露点空気Ｓの露点温度ｔを設定露点温度ｔｓに自動的に調整することができる。
【００２６】
本発明の第５特徴構成は、第４特徴構成の実施に好適な実施形態を特定するものであり、その特徴は、
前記制御手段は、複数の前記分割出口から送出される除湿後の低露点空気各々の検出露点温度に基づいて前記給気露点制御を実行する構成にしてある点にある。
【００２７】
この構成によれば（同図１参照）、複数の分割出口７ａ〜７ｆから送出される低露点空気Ｓ（＝Ｓ１〜Ｓ６）夫々の検出露点温度ｔに基づいて給気露点制御を実行するから、その給気露点制御において、被供給部１に供給する低露点空気Ｓの露点温度ｔが設定給気露点温度ｔｓとなる給気用出口７Ｘを複数の分割出口７ａ〜７ｆのうちから選択するのに、例えば、その選択を被供給部１に供給している低露点空気Ｓの検出露点温度ｔに基づいて試行錯誤的に行なうのに比べ、その選択を一層迅速かつ適切にすることができる。
【００２８】
本発明の第６特徴構成は、第４特徴構成の実施に好適な実施形態を特定するものであり、その特徴は、
前記制御手段は、複数の前記分割出口から送出される除湿後の低露点空気各々の露点温度と前記除湿機の運転条件との相関に関する相関データに対する照合により、各時点における前記除湿機の運転条件に対応する前記低露点空気各々の露点温度を読み出し、
この読み出し露点温度に基づいて前記給気露点制御を実行する構成にしてある点にある。
【００２９】
この構成によれば（同図１参照）、複数の分割出口７ａ〜７ｆから送出される低露点空気Ｓ（＝Ｓ１〜Ｓ６）夫々の露点温度ｔを検出する検出手段を不要にしながら、第５特徴構成と同様の効果を得ることができる。
【００３０】
本発明の第７特徴構成は、第４〜第６特徴構成のいずれかの実施に好適な実施形態を特定するものであり、その特徴は、
前記制御手段は、モード切換指令に従って前記給気露点制御と給気風量制御とを選択的に実行し、
前記給気風量制御では、前記給気路を通じて前記被供給部に供給する低露点空気の風量を前記切換手段に対する操作により設定給気風量に調整する構成にしてある点にある。
【００３１】
この構成によれば（同図１参照）、被供給部１に供給する低露点空気Ｓの露点温度ｔを給気露点制御により設定給気露点温度ｔｓに自動調整する露点温度優先の運転モードと、被供給部１に供給する低露点空気Ｓの風量ｑを給気風量制御により設定給気風量ｑｓに自動調整する風量優先の運転モードとを選択的に実施することができ、この点で機能性に一層優れたシステムにすることができる。
【００３２】
本発明の第８特徴構成は、第１〜第７特徴構成のいずれかの実施に好適な実施形態を特定するものであり、その特徴は、
前記吸着ロータ回転域において前記処理域の吸着ロータ回転方向における下手側に外気処理域を区画形成し、
外気導入路を通じて導入する前記原空気としての外気を前記処理域に対する通過に先立ち前記外気処理域に通過させて予除湿し、
この予除湿後の外気を前記循環路により導かれる低露点空気とともに前記処理域に通過させる構成にしてある点にある。
【００３３】
この構成では（同図１参照）、外気Ｏを除湿対象の原空気とすることにおいて、先述した（イ）の従来システムが採用する除湿方式と上記第１特徴構成の除湿方式とを組み合わせた除湿方式（即ち、外気処理域８が（イ）の従来システムにおける下手側処理域に相当する除湿方式）になる。
【００３４】
したがって、予除湿を行わない外気Ｏを循環路１７により導かれる低露点空気Ｓ′（＝Ｓ１，Ｓ３〜Ｓ６）とともに処理域７に通過させる除湿方式を採るのに比べ、露点温度ｔの極力低い低露点空気Ｓを被供給部１に供給する場合において、被供給部１に供給する低露点空気Ｓの露点温度ｔを一層効果的に低減することができる。
【００３５】
また、予除湿後の外気Ｏ′と循環路１７により導かれる低露点空気Ｓ′（＝Ｓ１，Ｓ３〜Ｓ６）とを合流させるから、予除湿していない外気Ｏと循環路１７により導かれる低露点空気Ｓ′とを合流させるのに比べ、その合流に伴う露点温度面での混合損失も低減することができ、これにより、消費エネルギ及び運転コストを一層効果的に低減することができる。
【００３６】
本発明の第９特徴構成は、第８特徴構成の実施に好適な実施形態を特定するものであり、その特徴は、
前記吸着ロータの回転域において吸着ロータ回転方向における前記再生域の下手側で前記再生域と前記処理域との間に、パージ用空気を通過させて域内に位置する吸着ロータ部分をパージ処理するパージ域を区画形成し、
前記外気処理域から送出される予除湿後の外気と前記循環路により導かれる低露点空気との混合空気の一部を、前記パージ用空気として前記パージ域に通過させる構成にしてある構成にしてある点にある。
【００３７】
この構成によれば（同図１参照）、予除湿後の外気Ｏ′と循環路１７により導く低露点空気Ｓ′（＝Ｓ１，Ｓ３〜Ｓ６）との混合空気Ｍ（即ち、外気Ｏに比べ露点温度が低い空気）の一部をパージ用空気Ｐとして利用するから、例えばパージ用空気Ｐとして予除湿していない外気Ｏを用いる場合に比べ、また、予除湿後の外気Ｏ′の一部のみをパージ用空気Ｐとして利用する場合に比べても、再生域５で再生した後の吸着ロータ部分をパージ域６において湿度面で一層効果的にパージ処理することができ、これにより、処理域７での通過空気Ｍに対する除湿処理の効率を一層高めることができる。
【００３８】
本発明の第１０特徴構成は、第９特徴構成の実施に好適な実施形態を特定するものであり、その特徴は、
前記パージ域を通過した使用後のパージ用空気を、再生用加熱器により加熱した状態で前記再生用空気として前記再生域に通過させる構成にしてある点ある。
【００３９】
この構成によれば（同図１参照）、予除湿後の外気Ｏ′と循環路１７により導く低露点空気Ｓ′（＝Ｓ１，Ｓ３〜Ｓ６）との混合空気Ｍ（前述の如く、外気Ｏなどに比べ露点温度が低い空気）の一部をパージ用空気Ｐとしての利用に続き、再生用加熱器１０により加熱した状態で再生用空気Ｈとして利用するから、例えば予除湿していない外気Ｏを再生用加熱器１０により加熱した状態で再生用空気Ｈとして用いる場合に比べ、また、予除湿後の外気Ｏ′の一部のみを再生用加熱器１０により加熱した状態で再生用空気Ｈとして利用する場合に比べても、除湿に用いた吸着ロータ部分を再生域５において一層効果的に再生処理することができ、これにより、再生用加熱器１０での必要加熱量を低減して消費エネルギ及び運転コストを一層の低減を図りながら、処理域７での通過空気Ｍに対する除湿処理の効率を高く確保することができる。
【図面の簡単な説明】
【００４０】
【図１】低露点空気供給システムの構成図
【図２】処理域出口における露点温度分布を示すグラフ
【発明を実施するための形態】
【００４１】
図１は低露点空気供給システムを示し、１はリチウム電池の生産などを行なう生産装置であり、この生産装置１は内部を露点温度（℃ＤＰ）の極低い低露点環境に保持する必要がある。
【００４２】
２は吸着ロータ式の除湿機であり、この除湿機２により生成した例えば−７０℃ＤＰといった露点温度の極低い低露点空気Ｓを給気路３を通じて被供給部としての生産装置１に供給することで、その生産装置１の内部を所要の低露点環境に保持する。
【００４３】
吸着ロータ式の除湿機２は、吸着剤Ｘを担持させた通気性の吸着ロータ４を備え、この吸着ロータ４の回転域には、再生域５とパージ域６と処理域７と外気処理域８との４域を、その順に吸着ロータ回転方向Ｒの上手側から並べて区画形成してある。
【００４４】
即ち、処理域７では、吸着ロータ４の回転に伴い、除湿対象の空気Ｍを処理域７に通過させて域内の吸着ロータ部分に通風することで、その吸着ロータ部分の吸着剤Ｘによる水分吸着により通過空気Ｍを除湿する。
【００４５】
同様に、外気処理域８では、外気導入路９を通じ導入した原空気として外気Ｏを外気処理域８に通過させて域内の吸着ロータ部分に通風することで、その吸着ロータ部分の吸着剤Ｘによる水分吸着により原空気としての外気Ｏを予除湿する。
【００４６】
これに対し、再生域５では、再生用加熱器１０により加熱した高温の再生用空気Ｈを再生域５に通過させて域内の吸着ロータ部分に通風することで、その吸着ロータ部分の吸着剤Ｘが先の処理域７及び外気処理域８において吸着した水分を再生用空気Ｈに脱着させ、これにより、その吸着剤Ｘを再生する。
【００４７】
また、パージ域６では、パージ用空気Ｐをパージ域６に通過させて域内の吸着ロータ部分に通風することで、パージ処理として、その吸着ロータ部分の内部に残留した状態で先の再生域５からパージ域６に持ち出された再生用空気Ｈを掃気するとともに、その吸着ロータ部分を次の処理域７への移行に先立ち冷却する。
【００４８】
なお、再生域５を通過した使用後の再生用空気Ｈ′の一部は、再生用循環路１１ａを通じ再生用加熱器１０での加熱前の再生用空気Ｈに混合して再生域５での吸着剤再生に再利用し、使用後の再生用空気Ｈ′の他部は再生用排気路１１を通じて外部に排出する。
【００４９】
１２は原空気としての外気Ｏを外気処理域８での吸着除湿に先立ち冷却する冷却器、及び、１３は除湿対象空気Ｍを処理域７での吸着除湿に先立ち冷却する冷却器である。
【００５０】
１４は外気処理域８に外気Ｏを通過させるとともに処理域７に除湿対象空気Ｍを通過させる処理用ファン、１５は再生用空気Ｈを再生域５に通過させる再生用ファンである。
【００５１】
処理域７の出口は、吸着ロータ回転方向Ｒにおいて６つの分割出口７ａ〜７ｆに区画してあり、これら分割出口７ａ〜７ｆの各々から延出する空気送出路は夫々、給気路３に接続する給気側送出路１６ａと循環路１７に接続する循環側送出路１６ｂとに分岐してある。
【００５２】
また、これら給気側送出路１６ａの夫々、及び、循環側送出路１６ｂの夫々には、各分岐出口７ａ〜７ｆから送出される除湿後の低露点空気Ｓ（＝Ｓ１〜Ｓ６）の各々を給気側送出路１６ａを通じて給気路３に導く状態と、循環側送出路１６ｂを通じて循環路１７に導く状態とに切り換える切換手段としてのダンパＶを装備してある。
【００５３】
循環路１７は、処理ファン１４及び冷却器１３を通じて処理域７の入口に接続してあり、また、この循環路１７には、外気処理域８を通過した予除湿後の外気Ｏ′を導く中継路１８を接続してある。
【００５４】
即ち、この低露点空気供給システムでは、６つの分割出口７ａ〜７ｆのうち、ダンパＶの操作により給気用送出路１６ａを通じて給気路３に連通させた分割出口（図１の例では分割出口７ｂ）を給気用出口７Ｘとし、その給気用出口７Ｘから送出される除湿後の低露点空気Ｓ（＝Ｓ２）を給気路３を通じて生産装置１に供給する。
【００５５】
また、６つの分割出口７ａ〜７ｆのうち、ダンパＶの操作により循環用送出１６ｂを通じ循環路１７に連通させた分割出口（図１の例では分割出口７ａ，７ｃ〜７ｆ）を循環給気用出口７Ｙとし、それら循環用出口７Ｙから送出される除湿後の低露点空気Ｓ′（＝Ｓ１，Ｓ３〜Ｓ６）を予除湿後の外気Ｏ′とともに循環路１７を通じ処理域７の入口に戻して、それら循環用出口７Ｙからの低露点空気Ｓ′（＝Ｓ１，Ｓ３〜Ｓ６）と予除湿後の外気Ｏ′との混合空気を除湿処理対象の空気Ｍとして処理域７に通過させる。
【００５６】
つまり、この低露点空気供給システムでは、吸着ロータ回転方向Ｒに並ぶ複数の分割出口７ａ〜７ｆのうち、給気用出口５Ｘとする一部の分割出口及び循環用出口７Ｙとする他部の分割出口の夫々をダンパＶの操作により切り換えることができる。
【００５７】
したがって、処理域７の出口における除湿後の低露点空気Ｓの露点温度分布に例えば図２に示す如き吸着ロータ回転方向Ｒでの偏りが存在することに対し、ダンパＶの操作により、他の分割出口に比べ露点温度ｔが低い低露点空気Ｓが送出される単数ないし複数の分割出口（図１の例では分割出口７ｂ）を給気用出口７Ｘとして選択することで、上記の露点温度分布において例えば−７０℃ＤＰといった露点温度ｔが極低い部分の低露点空気Ｓ（＝Ｓ２）を生産装置１に供給することができる。
【００５８】
また、このように処理域７の出口から送出される低露点空気Ｓのうち、露点温度ｔが低い部分の低露点空気Ｓ（＝Ｓ２）のみを他の露点温度ｔが高い部分の低露点空気Ｓ′（＝Ｓ１，Ｓ３〜Ｓ６）とは分離して生産装置１に供給することで、露点温度面での混合損失を低減してシステムの消費エネルギ及び運転コストも低減することができる。
【００５９】
なお、処理域７の入口に導く混合空気Ｍ（循環用出口７Ｙから送出される除湿後の低露点空気Ｓ′と予除湿後の外気Ｏ′との混合空気）の一部は、循環路１７から分岐したパージ用給気路１９を通じパージ用空気Ｐとしてパージ域６に通過させ、また、パージ域６を通過した使用後のパージ用空気Ｐ′は、再生用給気路２０を通じ再生用空気Ｈとして再生用加熱器１０より加熱した上で再生域５に通過させるようにしてある。
【００６０】
２１は制御手段としてシステムの運転制御を司る制御器であり、この制御器２１は付与されるモード切換指令に従って次の（イ）及び（ロ）の制御を選択的に実行する。
【００６１】
（イ）給気露点制御
処理域７の各分割出口７ａ〜７ｆから送出される低露点空気Ｓ（＝Ｓ１〜Ｓ６）夫々の露点温度ｔを検出する露点センサ２２の検出情報に基づき各分割出口７ａ〜７ｆに対するダンパＶを操作して、給気用出口７Ｘとする単数または複数の分割出口を自動的に選択することで、給気路３を通じて生産装置１に供給する低露点空気Ｓの露点温度ｔを設定給気露点温度ｔｓに調整する。
【００６２】
（ロ）給気風量制御
予め入力された風量データ（処理域７の各分割出口７ａ〜７ｆから送出される低露点空気Ｓ１〜Ｓ６夫々の風量ｑに関するデータ）に基づき各分割出口７ａ〜７ｆに対するダンパＶを操作して、給気用出口７Ｘとする単数または複数の分割出口を自動的に選択することで、給気路３を通じて生産装置１に供給する低露点空気Ｓの風量ｑを設定給気風量ｑｓに調整する。
【００６３】
なお、これら給気露点制御及び給気風量制御では、特に複数の分割出口を給気用出口７Ｘとして選択した場合など、その選択に加えてダンパＶの開度調整による風量調整操作を併用することで、生産装置１に供給する低露点空気Ｓの露点温度ｔないし風量ｑを設定露点温度ｔｓないし設定給気風量ｑｓに調整するようにしてもよい。
【００６４】
また、その場合、ダンパＶの開度調整による風量調整操作としては、給気用出口７Ｘとして選択した分割出口に対するダンパＶのうち、循環用送出路１６ｂの側のダンパＶを閉じた状態で、給気用送出路１６ａの側のダンパＶの開度のみを調整する方式、あるいは、給気用出口７Ｘとして選択した分割出口に対する給気用送出路１６ａの側及び循環用送出路１６ｂの側の両方のダンパＶの開度を調整する方式のいずれを採用してもよい。
【００６５】
さらに、給気露点制御では、上記露点センサ２２の検出情報に基づいて各分割出口７ａ〜７ｆに対するダンパＶを操作するのに代え、複数の分割出口７ａ〜７ｆから送出される低露点空気Ｓ１〜Ｓ６夫々の露点温度ｔと除湿機２の運転条件との相関に関する相関データに対する照合により、各時点における除湿機２の運転条件に対応する低露点空気Ｓ１〜Ｓ６夫々の露点温度ｔを読み出し、この読み出し露点温度ｔに基づき各分割出口７ａ〜７ｆに対するダンパＶを操作することで、生産装置１に供給する低露点空気Ｓの露点温度ｔを設定給気露点温度ｔｓに調整するようにしてもよい。
【００６６】
〔別実施形態〕
次に本発明の別実施形態を列記する。
【００６７】
処理域７の出口を吸着ロータ回転方向Ｒにおいて複数の分割出口７ａ〜７ｆに区画するのに、それら分割出口の口数（区画数）は６つに限定されるものではなく、２つ以上の複数であれば何口であってもよい。
【００６８】
また、それら分割出口７ａ〜７ｂの吸着ロータ回転方向Ｒにおける口幅は互いに等しい口幅、あるいは、互いに異なる口幅のいずれにしてもよく、例えば、処理域７の出口から送出される低露点空気Ｓの吸着ロータ回転方向Ｒでの図２に示す如き露点温度分布において、露点温度変化の勾配が大きい部分に対応する分割出口の口幅を小さく、かつ、露点温度変化の勾配が小さい部分に対応する分割出口の口幅を大きくするようにしてもよい。
【００６９】
前述の実施形態では、分割出口７ａ〜７ｆの夫々から送出される低露点空気Ｓを給気路３に導く状態と循環路１７に導く状態とに切り換える切換手段を、給気側送出路１６ａに装備するダンパＶと循環側送出路１６ｂに装備するダンパＶとの２つのダンパで構成する例を示したが、この切換手段を、給気側送出路１６ａと循環側送出路１６ｂとの分岐部に装備する１つのダンパ装置で構成してもよく、切換手段の具体的構成は種々の変更が可能である。
【００７０】
前述の実施形態では、外気Ｏを原空気として、予除湿後の外気Ｏ′と循環路１７により導かれる低露点空気Ｓ′との混合空気を処理域７に通過させるようにしたが、これに代えて、予除湿後の外気Ｏ′ないし予除湿なしの外気Ｏと、被供給部１から戻る還気空気と、循環路１７により導かれる低露点空気Ｓ′との三者の混合空気Ｍを処理域７に通過させるようにしてもよく、また場合によっては、被供給部１から戻る還気空気のみを原空気として、その還気空気と循環路１７により導かれる低露点空気Ｓ′との混合空気Ｍを処理域７に通過させるようにしてもよい。
【００７１】
給気用出口７Ｘから送出される低露点空気Ｓを供給する被供給部１は、リチウム電池の生産装置に限られるものではなく、低湿度環境を必要とする空間部であれば、どのような用途の空間部であってもよい。
【産業上の利用可能性】
【００７２】
本発明による低露点空気供給システムは、低湿度環境を要する各種分野において適用することができる。
【符号の説明】
【００７３】
Ｘ                吸着剤
４                吸着ロータ
Ｈ                再生用空気
５                再生域
Ｏ                原空気，外気
７                処理域
２                除湿機
Ｓ，Ｓ′          低露点空気
３                給気路
１                被供給部
７ａ〜７ｆ        分割出口
７Ｘ              給気用出口
７Ｙ              循環用出口
１７              循環路
Ｖ                切換手段
ｔ                露点温度
ｔｓ              設定給気露点温度
２１              制御手段
８                外気処理域
９                外気導入路
Ｐ                パージ用空気
６                パージ域
Ｐ′              使用後のパージ用空気
１０              再生用加熱器
【図１】
2014095502.tif 000003
【図２】
2014095502.tif 000004